(57)【要約】【課題】  画像読取装置内に確保することができるスペースの問題等によって、撮像素子と撮像素子が生成する電気信号に画像処理を施す画像処理基板は異なる位置に配置されている。これらの２つはケーブルで接続されている。ケーブルで接続されているので、撮像素子から画像処理基板へ電気信号を伝送する際に、電気信号にノイズが発生する。【解決手段】  本発明の画像読取装置は、原稿台から上記撮像素子までの光路長を一定に保持するために、原稿台を照射する光源の移動に伴って光路の途中経路を調整する画像読取装置を前提としている。本発明の画像読取装置は、撮像素子と画像処理基板を１枚の共通基板に実装する。更に、共通基板に実装された撮像素子まで原稿を照射した光を導光する手段を備える。【選択図】  図２
2006093894.tif 000002
【特許請求の範囲】
【請求項１】
原稿台に載置された原稿を照射する光源手段と、
原稿を照射した光を電気信号に変換する撮像素子と上記電気信号に画像処理を施す画像処理基板が実装された共通基板と、
上記原稿から上記撮像素子までの光路長を一定に保持するために、上記光源手段の移動に伴って光路の途中経路を調整する調整手段と、
調整された途中経路を通過した上記原稿を照射した光の進行方向を変換する方向変換手段と、
進行方向が変更された光を上記撮像素子に導光する導光手段を備えたことを特徴とする画像読取装置。
【請求項２】
上記共通基盤は、上記原稿台の下方に上記原稿台と平行に配置された請求項１に記載の画像読取装置。
【請求項３】
上記共通基板は、上記撮像素子を上側に向けて配置され、
上記共通基板の上記撮像素子の上方を開閉するシャッターを備えた請求項１に記載の画像読取装置。
【発明の詳細な説明】
【技術分野】
【０００１】
本発明は、原稿を高解像度で正確に読み取ることが可能な画像読取装置に関する。
【背景技術】
【０００２】
スキャナーや複写機などの画像読取装置においては、撮像素子（ＣＣＤ）と画像処理基板等を用いて原稿の読み取りを行っている。
【０００３】
図４に示すように、画像読取装置は、原稿カバー１８と、原稿台１０に載置された原稿を照射する光源１１と原稿を照射した光を反射させて導光するミラー１２、１３、１４と、導光された光を集光させる集光レンズ１５と、集光レンズ１５から出射した光を受光する撮像素子１６を備える。
【０００４】
上記光源１１は、原稿台１０の下方をミラー１２と共に副走査方向に移動することができるようになっており、光源１１は、副走査方向に移動することで原稿台１０全体を照射する事ができる。原稿から撮像素子１６までの光源１１から発せられた光の光路が一定長となるように、ミラー１３、１４は、光源１１とミラー１２の移動に伴い、光源１１とミラー１２の半分の速度で光源１１及びミラー１２と同方向に移動する。ミラー１３、１４の移動によって、光路の途中経路が変更されることで、原稿から撮像素子１６までの光路が一定長となる。
【０００５】
撮像素子１６は受光した光を電気信号に変換する。撮像素子１６にて生成された電気信号は、ケーブル９を介して画像処理基板１７に伝送される。画像処理基板１７は、電気信号に画像処理を施して画像データを生成し、この画像データをメモリ等の記憶手段に保存する。
【０００６】
図４に示すように撮像素子１６は、原稿台１０の下方に配置され、画像処理基板１７は、画像形成装置内の大きなスペースを確保できる位置に配置されている。なお、画像処理基板１７の配置される位置は、画像処理基板１７や画像読取装置の機種によって異なる。
【０００７】
このように撮像素子１６と画像処理基板１７が異なる位置に配置されるのは、光源１１から発せられた光の光路を一定長にするためには撮像素子１６を原稿台１０の下方に配置するのが適当であるが、原稿台１０の下方には、光源１１、ミラー１２、１３、１４、集光レンズ１５等が配置されており、撮像素子１６と画像処理基板１７の両方を配置することができるスペースを確保することができないためである。
【特許文献１】特開２００３−１１０７９８号公報
【発明の開示】
【発明が解決しようとする課題】
【０００８】
上記した理由により、撮像素子１６と画像処理基板１７は異なる位置に配置され、これらはケーブル９で接続されている。撮像素子１６から画像処理基板１７への電気信号の伝送にはケーブル９が用いられているために、伝送の際に電気信号にノイズが発生する。そのため、従来の画像読取装置においては、ノイズの影響によって原稿を正確に読み取ることができない。
【０００９】
そこで本発明は、原稿を正確に読み取ることができる画像読取装置を目的とする。
【課題を解決するための手段】
【００１０】
本発明の画像読取装置は、原稿台から上記撮像素子までの光路長を一定に保持するために、原稿台を照射する光源の移動に伴って光路の途中経路を調整する画像読取装置を前提としている。
【００１１】
本発明の画像読取装置は、撮像素子と画像処理基板を１枚の共通基板に実装する。これによりケーブルを使用しなくても撮像素子から画像処理基板への電気信号の伝送が可能となる。
【００１２】
ただし、撮像素子と画像処理基板の両方を実装した共通基板はサイズが大きく、原稿台の下方に配置することができない。本願は、途中経路を通過した原稿台を照射した光の進行方向を変換して、原稿台を照射した光を共通基板に実装された撮像素子に導光する手段を備える。
【００１３】
これにより、共通基板がどこに配置されても、撮像素子まで原稿台を照射した光が導かれる。
【発明の効果】
【００１４】
本発明の画像読取装置は、撮像素子から画像処理基板が共通基板に実装されているので、撮像素子から画像処理基板への電気信号にケーブルを必要としないので、電気信号にノイズが発生せず、原稿の正確な読み取りが実現できる。
【００１５】
また、本発明の画像読取装置は、途中経路を通過した光を、共通基板に実装された撮像素子に導光するので、共通基板をどの位置に配置しても、原稿の読み取りを行うことができる。
【発明を実施するための最良の形態】
【００１６】
本実施の形態の画像読取装置１００の概観図を図１に示す。図１に示すように、本実施の形態の画像読取装置１００は、本体１０１と本体１０１の上面に設けられた原稿台１０を開閉する原稿カバー１８を備える。本体１０１の上部は、図２に示すように、原稿台１０を照射する光源手段として機能する光源１１と、原稿台１０を照射した光を反射させて導光するミラー１２、１３、１４と、導光された光を集光させる集光レンズ１５と、集光レンズ１５から出射した光の進行方向を下方向に変換するミラー２０を収納したケース２３が配置されている。
【００１７】
上記光源１１は、原稿台１０の下方をミラー１２と共に副走査方向に移動することができるようになっており、光源１１は、副走査方向に移動することで原稿台１０全体を照射する事ができる。原稿台１０を照射してから撮像素子１６までの光路が一定長となるように、ミラー１３、１４は、光源１１とミラー１２の移動に伴い、光源１１とミラー１２の半分の速度で光源１１及びミラー１２と同方向に移動する。ミラー１３、１４の移動によって、光路の途中経路が変更されることで、原稿台１０を照射してから撮像素子１６までの光路が一定長となる。従って、ミラー１３、１４は、途中経路を調整する調整手段として機能している。
【００１８】
ケース２３のミラー２０の下方位置は、ミラー２０で進行方向が変換された光をケース２３外に出射するための窓２２が設けられている。上記窓２２の下方には、原稿台１０と平行に配置された共通基板２１に実装された撮像素子１６が配置されている。
【００１９】
従って、ミラー２０によって、原稿台１０を照射して集光レンズ１５を通過した光は、下方向に進行方向を変換されるとともに、撮像素子１６に導光される。よって、本実施の形態では、ミラー２０は方向変換手段と導光手段として機能している。
【００２０】
上記ケース２３には、窓２２を開閉するシャッターが備えられている。このシャッター２４として、図３に示すように、ミラー２０を用いることができる。この場合、図３に示すように、ミラー２０の一端を回転軸２４に固定して、ミラー２０を傾倒することで、ミラー２０で窓２２を塞いで、窓２２を閉じるようにする。
【００２１】
シャッター２４は、例えば、画像処理装置１００の電源がオンしているときや、光源１１が点灯しているときに窓２２を開け、画像処理装置１００の電源がオフしているときや光源１１が消灯しているときは窓２２を閉じる。電源がオフしていたり、光源１１が消灯しているときは、ミラー２０に原稿台１０を照射した光が入射しないので、ミラー２０に原稿台１０を照射した光が入射しないときに窓２２を閉じることで、画像の読み取りを妨げることなく、撮像素子１６に埃が載ることを防止することができる。
【００２２】
本実施の形態では、共通基板２１は、原稿台１０の下方に原稿台１０と平行に配置されている。これは、原稿台１０と平行に配置すると、画像処理装置自体の高さをあまり高くすること無く、共通基板２１を配置するためである。もちろん、共通基板２１を配置する位置は、原稿台１０の下方でなくても良く、また、共通基板２１の向きは原稿台１０と平行でなくても良い。
【００２３】
撮像素子１６が実装された共通基板２１には、画像処理基板１７も実装されている。従って、撮像素子１６が生成した電気信号は、ケーブルを使用しなくても、画像処理基板１７に伝送することができる。よって、ノイズの発生を防ぐことができる。
【図面の簡単な説明】
【００２４】
【図１】画像形成装置の概観図。
【図２】画像形成装置の要部断面図。
【図３】画像形成装置の要部断面図。
【図４】従来の画像形成装置の要部断面図。
【符号の説明】
【００２５】
１０  原稿台
１１  光源
１２、１３、１４、２０  ミラー
１６  撮像素子
１７  画像処理基板
１８  原稿カバー
２１  共通基板
２２  窓
２３  ケース
１００  画像形成装置
１０１  本体
【図１】
2006093894.tif 000003
【図２】
2006093894.tif 000004
【図３】
2006093894.tif 000005
【図４】
2006093894.tif 000006